(57)【要約】横編機を用いて無縫製で衿ぐりの広いニットウェアを編成する方法であって前身頃を前衿ぐり形成部分から前右身頃と前左身頃とに分岐させて編成をし、編成を行う前右身頃又は前左身頃のどちらか一方を除く前衿ぐりを含む編目の全てを他方の空針に目移しして、針床をラッキングさせながら他方の空針に前衿ぐりの増し目を行う編成をする第１ステップと、後身頃の端部の一方と、第１ステップにより編成された前右身頃または前左身頃のどちらか一方の袖ぐり側端部を対向させた状態で肩伏目処理により接合する第２ステップと、肩伏目処理がなされていない後身頃の端部と、肩伏目処理がなされていない前身頃の袖ぐり側端部を対向させて肩伏目処理により接合する第３ステップにより衿ぐりを形成する。
2003100146.tif 000002
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、ニットウェアを構成する身頃が継ぎ目の無い連続した筒状となるように編成されるニットウェアの編成方法において、
身頃をニットウェアの裾から脇下まで編成した後に、脇下から肩にかけて身頃を編成する際に、前身頃を前衿ぐり形成部分から前右身頃と前左身頃とに分岐させて編成して身頃に衿ぐりを形成する際に以下のステップを含むことを特徴とする；
１）前右身頃と前左身頃のどちらか一方を除く編目の全てを後身頃の編目が係止される針床に目移しして、後身頃の編目が係止される針床の前身頃が他方の針床に係止される一方の前身頃から遠ざかる方向へ、針床を増し目の数に比例したピッチ数で針床をラッキングするとともに、後身頃の編目が係止される針床における前衿ぐりの他方の針床に係止される前身頃側端部側に、ラッキングのピッチ数に対応させた増し目を形成しながら他方の針床に係止される前身頃を所定コース編成した後に、後身頃の編目が係止されている針床に目移しされている編目を元の針床に目移しする工程と、
この所定コースの編成がされていない前身頃を除く編目の全てを後身頃の編目が係止される針床に目移しして、後身頃の編目が係止される針床の前身頃が他方の針床に係止される前身頃から遠ざかる方向へ、針床を増し目の数に比例したピッチ数で針床をラッキングするとともに、後身頃の編目が係止される針床における前衿ぐりの他方の針床に係止される前身頃側端部側に、ラッキングのピッチ数に対応させた増し目を形成しながら他方の針床に係止される前身頃を所定コース編成した後に、後身頃の編目が係止されている針床に目移しされている編目を元の針床に目移しする工程と、
後身頃を所定コース編成する工程を有する第１ステップ、
２）第１ステップの終了後または第１ステップの途中において、針床のラッキング動作および前後の針床への目移しによる編目の回し動作により、第１ステップにより編成された後身頃の端部の一方と、第１ステップにより編成された前右身頃または前左身頃のどちらか一方の袖ぐり側端部を対向させた後に、肩伏目処理により後身頃と前右身頃または前左身頃のどちらか一方を接合する第２ステップ、
３）第１ステップおよび第２ステップの終了後、針床のラッキング動作および前後の針床への目移しによる編目の回し動作により、肩伏目処理がなされていない後身頃の端部と、肩伏目処理がなされていない前左身頃または前右身頃の袖ぐり側端部を対向させて肩伏目処理により後身頃と前左身頃または前右身頃の一方を接合する第３ステップ。
【請求項２】
前記第１ステップは、
前右身頃および前左身頃を同じ目数で所定コース編成しながら前衿ぐりの増し目処理を行うとともに、所定コース数で後身頃を編成する第１衿ぐり増し目ステップと、
第１衿ぐり増し目ステップによる前身頃と後身頃の編成に続いて、前右身頃および前左身頃を、袖ぐり側端部を引き返し編みで処理して所定コース編成しながら前衿ぐりの増し目処理を行うとともに、所定コース数で後身頃を編成する第２衿ぐり増し目ステップとからなり、
第２衿ぐり増し目ステップによる一方の前身頃の編成の後に、第２ステップ及び第３ステップによる編成を行うようにしている請求の範囲第１項に記載のニットウェアの編成方法。
【発明の詳細な説明】
技術分野
本発明は、継ぎ目無く筒状に編成された編地を無縫製で接合して形成されるニットウェアの編成方法に関するものである。特に本発明は、セーターやカーディガン等のニットウェアにおける広い衿ぐりを形成することができる編成方法およびそのような編成方法に関する。
従来の技術
本願出願人は、国際公開番号ＷＯ  ０１／５５４９１  Ａ１に明記され、かつ、図７および図８に示すように、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、前下がり状に広い前衿ぐり３１０が前身頃１００ａに形成される無縫製のニットウェアの編成方法を提案した。
これは、基本的には、身頃１００（１００ａ，１００ｂ）と両袖２１０（２１０ａ，２１０ｂ），２２０（２２０ａ，２２０ｂ）とをニットウェアの裾から脇下まで筒状に編成した後に、前身頃１００ａを編成する際、衿ぐり３００の形成開始位置（図８において点線Ｌ１）以降を衿ぐり３００を挟むように前右身頃１１０ａと前左身頃１２０ａに分岐して編成することにより前身頃１００ａに前衿ぐり３１０を形成するようにしたものである。
そして、衿ぐりを広く形成するために、前右身頃１１０ａと前左身頃１２０ａの編成過程途中（図８において点線Ｌ２以降）において、前右身頃１１０ａまたは前左身頃１２０ａの編目の全てを後身頃の編目が係止される針床に目移しし、目移しした針床をラッキング動作させた後、前身頃の全ての編目を元の針床に戻す動作を繰り返して、前右身頃１１０ａまたは前左身頃１２０ａの編目を身頃中心に対して徐々に外側に移動させる編成を行うことにより、衿ぐり３００の周縁に沿って前衿ぐり３１０の増し目を行っている。
さらに、前右身頃１１０ａと前左身頃１２０ａの最終コースの衿ぐり側端部から数目（図８の点Ｌ３）を衿ぐり編成に用いることによりさらに前衿ぐり３１０の編目を増やすようにしている。
前衿ぐり３１０をこのようにして形成することで前衿ぐり３１０のウェール数が増やされ、その結果、これに続けて編まれる衿４００は衿ぐりの口径の広いものとなるだけでなく、衿ぐり３００は自然と前下がりの状態となって形成される。
このように衿ぐり３００が広くなるように編成された前身頃１００ａを使ってセーターを製造すればファッション性が高く、着用時に容易に頭を衿に通すことができ、衿により締めつけられることもないので着心地も良くすることができる。
しかしながら以上編成方法では、衿ぐりに増し目を形成するために、前右身頃１１０ａまたは前左身頃１２０ａの編目の全てを後身頃の編目が係止される針床に目移しし、目移しした針床をラッキング動作させた後、前身頃の全ての編目を元の針床に戻す動作を繰り返すことにより、前右身頃１１０ａまたは前左身頃１２０ａの編目を身頃中心に対して徐々に外側に移動させる編成を行っているため、前身頃の編目を目移しする際、同じ編目について増し目の数の倍の回数の目移し動作が行われることになる。
このように、同じ編目に対して目移しが何度も行われると糸が損傷しやすくなるという不具合が生じる。
また、前記した衿ぐり編成方法では、前右身頃１１０ａと前左身頃１２０ａの最終コースの衿ぐり側端部から数目（図８の点Ｌ３）を衿ぐり編成に用いるようにしているが、前右身頃１１０ａと前左身頃１２０ａの最終コースの一部を衿ぐり編成のために用いるため、その分肩接合部分の長さが短くなり、後身頃１００ｂの後衿ぐり３２０の長さが横に長くなってしまう。
後身頃１００ｂの後衿ぐり３２０長さがあまり長くなると、衿ぐり全体が前下がりではなく、横に広がった状態となってしまい見栄えが悪くなってファッション性に欠けるという不具合が生ずる。
発明の開示
本発明は以上の実情に鑑みて開発したものであって、編成時の糸の負担を軽減でき、ファッション性に優れ、かつ、前下がり状の広い衿ぐりを形成することができるニットウェアの編成方法を提供することを目的とする。
以上の目的を達成するために、本発明は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、ニットウェアを構成する身頃が継ぎ目の無い連続した筒状となるように編成されるニットウェアの編成方法において、
身頃をニットウェアの裾から脇下まで編成した後に、脇下から肩にかけて身頃を編成する際に、前身頃を前衿ぐり形成部分から前右身頃と前左身頃とに分岐させて編成して身頃に衿ぐりを形成する際に以下のステップを含むことをことを特徴とするものである。
１）前右身頃と前左身頃のどちらか一方を除く編目の全てを後身頃の編目が係止される針床に目移しして、後身頃の編目が係止される針床の前身頃が他方の針床に係止される一方の前身頃から遠ざかる方向へ、針床を増し目の数に比例したピッチ数で針床をラッキングするとともに、後身頃の編目が係止される針床における前衿ぐりの他方の針床に係止される前身頃側端部側に、ラッキングのピッチ数に対応させた増し目を形成しながら他方の針床に係止される前身頃を所定コース編成した後に、後身頃の編目が係止されている針床に目移しされている編目を元の針床に目移しする工程と、
この所定コースの編成がされていない前身頃を除く編目の全てを後身頃の編目が係止される針床に目移しして、後身頃の編目が係止される針床の前身頃が他方の針床に係止される前身頃から遠ざかる方向へ、針床を増し目の数に比例したピッチ数で針床をラッキングするとともに、後身頃の編目が係止される針床における前衿ぐりの他方の針床に係止される前身頃側端部側に、ラッキングのピッチ数に対応させた増し目を形成しながら他方の針床に係止される前身頃を所定コース編成した後に、後身頃の編目が係止されている針床に目移しされている編目を元の針床に目移しする工程と、
後身頃を所定コース編成する工程を有する第１ステップ、
２）第１ステップの終了後または第１ステップの途中において、針床のラッキング動作および前後の針床への目移しによる編目の回し動作により、第１ステップにより編成された後身頃の端部の一方と、第１ステップにより編成された前右身頃または前左身頃のどちらか一方の袖ぐり側端部を対向させた後に、肩伏目処理により後身頃と前右身頃または前左身頃のどちらか一方を接合する第２ステップ、
３）第１ステップおよび第２ステップの終了後、針床のラッキング動作および前後の針床への目移しによる編目の回し動作により、肩伏目処理がなされていない後身頃の端部と、肩伏目処理がなされていない前左身頃または前右身頃の袖ぐり側端部を対向させて肩伏目処理により後身頃と前左身頃または前右身頃の一方を接合する第３ステップ。
また本発明は、上述のニットウェアの編成方法において、前記第１ステップは、前右身頃および前左身頃を同じ目数で所定コース編成しながら前衿ぐりの増し目処理を行うとともに、所定コース数で後身頃を編成する第１衿ぐり増し目ステップと、
第１衿ぐり増し目ステップによる前身頃と後身頃の編成に続いて、前右身頃および前左身頃を、袖ぐり側端部を引き返し編みで処理しながら所定コース編成しながら前衿ぐりの増し目処理を行うとともに、所定コース数で後身頃を編成する第２衿ぐり増し目ステップとからなり、
第２衿ぐり増し目ステップによる一方の前身頃の編成の後に、第２ステップ及び第３ステップによる編成を行うようにしている。
好ましくは、編成されるニットウェアは、セットインタイプのセーターに適用することが好ましい。
発明を実施するための最良の形態
以下、本発明にかかるニットウェアの編成方法についての実施形態を図面に基づいて説明する。
本実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いてニットウェアを編成する。
２枚ベッドの横編機は、筒状のニットウェアを編成する場合、前後の各針床においてそれぞれ１本おきの針を用いて編成を行うようにしており、例えば、前針床の奇数番目の針を主として前身頃や袖の前部などのニットウェアの前側部分の編地を編成するために用い、後針床の偶数番目の針を主として後身頃や袖の後部などのニットウェアの後側部分を編成するために用いる。さらに、前後の針床は、一方の針床の編成用に用いられる針に対向する他方の針床の針を空針としており、この空針を目移しやリブ編み等をするために用いるようになっている。
これら空針を用いることにより、リンクス、ガーター、リブなどの表目と裏目が混在した組織柄を編成したり、袖や身頃の編目をコース方向に移動させて互いに接合することができるようになっている。
また、２枚ベッドの横編機を用いる場合、前後針床の一方または両方の上位にトランスファージャックを列設したトランスファージャックベッドを設けて編地を編成するようにしてもよい。
なお、本実施形態では、２枚ベッドの横編機を用いてニットウェアを編成するようにしているが、本発明は、上部前針床、下部前針床、上部後針床、そして下部後針床からなる４枚ベッドの横編機を用いて編成することもできる。
４枚ベッドの横編機を用いる場合には、例えば、下部前針床に前側部分を付属させ、下部後針床に後側部分を付属させるとともに、上部後針床を前側部分の編地を編成する際の空針として前側部分の編地の目移し等に用い、上部前針床を後側部分の編地を編成する際の空針として後側部分の編地の目移し等に用いる。
本実施形態は、上記２枚ベッドの横編機を用いて、ニットウェアを構成する身頃および袖を継ぎ目の無い連続した筒状となるようにシームレスにニットウェアを編成する方法である。
本発明の第１実施形態について、図１から図５に基づいて説明する。図１は、本発明の編成方法で編成されるニットウェアとしてセットインセーター１を示している。図２は、セーター１を構成する身頃と袖の型紙（編目配列）を示したもので、セーター着用時に後側に現れる後身頃２ｂと両袖の右袖後部１３ｂおよび左袖後部３ｂを上側に示し、セーター着用時に前側に現れる前身頃２ａと両袖の右袖前部１３ａおよび左袖前部３ａを下側に示している。
後身頃２ｂ、右袖後部１３ｂ、左袖後部３ｂは、主として後針床ＢＢ上の奇数番目の針を使用して編成され、前身頃２ａ、右袖前部１３ａ、左袖前部３ａは、主として前針床ＦＢ上の偶数番目の針を使用して編成される。
本実施形態で編成されるセーター１はラウンドネックタイプであり、前身頃２ａにおける裾から肩における袖との接合部までの丈の長さ（コース数）と、後身頃２ｂにおける裾から肩における袖との接合部までの丈の長さ（コース数）とを一致させて、肩ライン上で前身頃２ａと後身頃２ｂが接合されるデザインにしている。
セーター１の身頃および袖の編み組織は、説明の便宜上、平編みの無地としているが、ジャガードやリブ等の組織柄のものであってもよい。
セーター１は、図２に示すように、脇下部となる前身頃２ａの各点Ａ，ａは、左袖前部３ａおよび右袖前部１３ａの各点Ｐ，ｐと接合され、後身頃２ｂの各点Ｈ，ｈは左袖後部３ｂおよび右袖後部１３ｂの各点Ｓ，ｓと接合される。
そして、アームホール２３に沿って前身頃２ａと左袖前部３ａおよび右袖前部１３ａが接合され、後身頃２ｂと左袖後部３ｂおよび右袖後部１３ｂが接合される。
前身頃２ａは、衿ぐり４が形成され始める点Ｇ，ｇ以降にかけて後身頃２ｂと異なる形状をしており、図２に示すように、前左身頃２１ａと前右身頃２２ａとに分岐して編成される。
さらに、衿ぐり４の形成が開始された後の身頃２ａ，２ｂおよび袖３，１３の編成は、前左身頃２１ａ、左袖前部３ａ、左袖後部３ｂ、後身頃２ｂ、右袖後部１３ｂ、右袖前部１３ａ、前右身頃２２ａの順またはその反対の順に編成しながら、アームホール２３に沿って、前左身頃２１ａに左袖前部３ａを接合し、後身頃２ｂに左袖後部３ｂと右袖後部１３ｂを接合し、前右身頃２２ａに右袖前部１３ａを接合していく。
前身頃２ａと後身頃２ｂは、左袖３と右袖１３の接合が終了された後、肩部において接合される。
そして、衿５は、線ｅ−ｙ−ｆ−ｇ−Ｇ−Ｆ−Ｙ−Ｅ−Ｋ−ｋ−ｅで形成される環に沿ってリブ編みにより編成される。
なお、本実施形態において、身頃や袖の左右を表す用語、例えば、前右身頃２２ａや前左身頃２１ａなどの右と左とは、セーター１を着用した状態の着用者を基準にしている。
図３から図５は、セーター１を裾部分から肩に向けて編成していく際の各段階の編成を詳細に示した編成ステップ図である。
編成ステップ図は、前身頃２ａを太い実線で、後身頃２ｂを細い実線で、袖３，１３を二重線で、そして、前身頃２ａの前衿ぐり４１を点線で表している。
ステップ１は、身頃編成用と袖編成用にそれぞれ用意した給糸口（図示せず）から編糸を前針床ＦＢの各針に供給した後、給糸口を反転させて後針床ＢＢの各針へ編糸を供給する編成を繰り返して、筒状体の身頃の裾部と左右の袖の袖口にゴム編部６１，６２の編成を開始した状態を示す。
ステップ２は、身頃２の編成と同時に、筒径を広げながら左袖３と右袖１３の編成を行い、脇下部（図２の点Ａ，Ｐ，ａ，ｐ，Ｓ，Ｈ，ｓ，ｈ）の手前まで編成が行われた状態を示す。
ステップ３は、脇下部で身頃２と左袖３および右袖１３とを統合させて１つの筒状体とした状態を示す。これは、例えば身頃編成に使用してきた給糸口から編糸を給糸して編成を行う。
ステップ４は、前身頃２ａの編成が、衿ぐり４の形成が開始されるＧ，ｇの位置まできたときの針床における各編地の係止状態を示す。ここから前身頃２ａは前右身頃２２ａと前左身頃２１ａとに分岐される。
なお、ステップ３からステップ４に至るまでは、左袖３と右袖１３の編成を、身頃２と袖３，１３で形成される筒状体の身頃部と袖部のコース編成の比率を例えば３：１として編成しながら各袖３，１３を身頃２側へ移動させて編糸を重ねる編成を繰り返すことにより、身頃２と袖３，１３で形成される筒状体の口径を徐々に減少させていく。このとき、身頃２の編み幅も同時に減少させる。
ステップ５は、前左身頃２１ａを図２おける線Ｂ−Ｇの位置から線Ｃ−Ｆの位置まで編成する状態を示す。ステップ５においては、１コースおきに衿ぐり側端部をタックさせることにより線Ｇ−Ｆに沿って衿ぐり４の周縁の編目を順次不作用状態に置く引き返し編成を行うと同時に、左袖前部３ａと前左身頃２１ａの接合を行う。
ステップ５では、左袖前部３ａの編目の全てを後身頃２ｂの編目が係止される後針床ＢＢの空針に目移しする。
前左身頃２１ａを袖ぐり側から１コース編成し、次のコースを編成する際に、衿ぐり側端部の編目を衿ぐりの編目が係止されている針（編目Ｇが係止されている針）にタックさせながら１コース編成する。
そして、後針床ＢＢを、図３において左方向へ２ピッチラッキングし、左袖前部３ａの前身頃側端部の編目を前左身頃２１ａの袖側端部の編目に目移しして重ね合わせる。
これら一連の動作を線Ｆ−Ｃの位置に到達するまで所定コース繰り返すことにより、前衿ぐり４１を形成しながら左袖前部３ａと前左身頃２１ａの接合をしていき、線Ｆ−Ｃの位置まで編成し終えたら、後針床ＢＢに係止されている左袖前部３ａの編目を前針床ＦＢに戻す。
ステップ６は、前右身頃２２ａを図２における線ｂ−ｇの位置から線ｃ−ｆの位置まで編成する状態を示す。ステップ６においても、１コースおきに衿ぐり側端部をタックさせることにより、線ｇ−ｆに沿って衿ぐり４の周縁の編目を順次不作用状態に置く引き返し編成を行うとともに、右袖前部１３ａと前右身頃２２ａの接合を行う。
ステップ６では、前針床ＦＢに係止されている右袖後部１３ｂと右袖前部１３ａの編目の全部を後身頃２ｂの編目が係止される後針床ＢＢの空針に目移しする。
前右身頃２２ａを袖ぐり側から１コース編成し、次のコースを編成する際に、衿ぐり側端部の編目を衿ぐりの編目が係止されている針（編目ｇが係止されている針）にタックさせながら１コース編成する。
そして、後針床ＢＢを、図３において右方向へ２ピッチラッキングし、右袖前部１３ａの前身頃側端部の編目を前右身頃２２ａの袖側端部の編目に目移しして重ね合わせる。
これら一連の動作を線ｆ−ｃの位置に到達するまで所定コース繰り返すことにより、前衿ぐり４１を形成しながら右袖前部１３ａと前右身頃２２ａの接合をしていき、線ｆ−ｃの位置まで編成し終えたら、後針床ＢＢに係止されている右袖前部１３ａと右袖後部１３ｂの編目の全てを前針床ＦＢに戻す。
そして、ステップ５，６の編成により、線Ｆ−Ｇ−ｇ−ｆに沿って前衿ぐり４１の最初の部分が形成され、ステップ７に示す状態となる。
ステップ８は、後身頃２ｂを線Ｉ−ｉの位置から線Ｚ−ｚの位置まで、左袖後部３ｂと右袖後部１３ｂとの接合を行いながら編成する状態を示す。
ステップ８では、後身頃２ｂのみを２コース編成した後、後針床ＢＢに係止される後身頃２ｂと左袖後部３ｂの編目の全てを前針床ＦＢの空針に目移しする。
そして、後針床ＢＢを、左袖後部３ｂ側（図３において右方向）へ２ピッチラッキングした後、前針床ＦＢに係止されている後身頃２ｂの編目の全てを後針床ＢＢに戻す。この動作により、後身頃２ｂの端部の編目と右袖後部１３ｂの端部の編目が重ね合わされて接合が行われる。
次に、後針床ＢＢを、図３において右方向へさらに２ピッチラッキングし、前針床ＦＢに係止されている左袖後部３ｂの身頃側端部の編目を後針床ＢＢに目移しする。この動作により、後身頃２ｂの端部の編目と左袖後部３ｂの端部の編目が重ね合わされて接合が行われる。
そして、前針床ＦＢに左袖後部３ｂの編目を係止させたまま、上記と同様の後身頃２ｂの編成、後針床ＢＢのラッキング動作、後身頃２ｂの編目の目移し、左袖後部３ｂの身頃側端部の編目の後針床ＢＢへの目移しの動作を繰り返す。これら一連の動作を所定コース行うことにより、左袖後部３ｂと後身頃２ｂの接合をしていく。
また、ステップ８では、続いて、前針床ＦＢの空針に係止されている左袖後部３ｂの編目の全てを後針床ＢＢに戻し、後身頃２ｂのみを２コース編成した後、後針床ＢＢに係止される後身頃２ｂと右袖後部１３ｂの編目の全てを前針床ＦＢの空針に目移しする。
そして、後針床ＢＢを、右袖後部１３ｂ側（図３において左方向）へ２ピッチラッキングした後、前針床ＦＢに係止されている後身頃２ｂの編目の全てを後針床ＢＢに戻す。この動作により、後身頃２ｂの端部の編目と左袖後部３ｂの端部の編目が重ね合わされて接合が行われる。
次に、後針床ＢＢを、図３において左方向へさらに２ピッチラッキングし、前針床ＦＢに係止されている右袖後部１３ｂの身頃側端部の編目を後針床ＢＢに目移しする。この動作により、後身頃２ｂの端部の編目と右袖後部１３ｂの端部の編目が重ね合わされて接合が行われる。
そして、前針床ＦＢに右袖後部１３ｂの編目を係止させたまま、上記と同様の後身頃２ｂの編成、後針床ＢＢのラッキング動作、後身頃２ｂの編目の目移し、右袖後部１３ｂの身頃側端部の編目の後針床ＢＢへの目移しの動作を繰り返す。これら一連の動作を所定コース行うことにより、右袖後部１３ｂと後身頃２ｂの接合をしていく。ステップ８の編成によりステップ９の状態となる。
ステップ１０〜１５では、本発明の第１ステップの工程における第１衿ぐり増し目ステップの工程を行うのであって、前衿ぐり４１の線Ｆ−Ｇ−ｇ−ｆ以降の前衿ぐり４１の編み幅を増やすための編成をする。具体的には線Ｆ−Ｙおよび線ｆ−ｙの前衿ぐり４１の形成のための編成が行われる。
ステップ１０は、前左身頃２１ａのコース編成を示し、前左身頃２１ａの線Ｃ−Ｆの位置から線Ｄ−Ｙの位置まで編成する状態を示す。このコース編成の間に衿ぐり４の左側部分がさらに形成される。
ステップ１０においては、まず、前針床ＦＢに係止されている右袖前部１３ａと前右身頃２２ａと前衿ぐり４１（線Ｆ−Ｇ−ｇ−ｆ）と左袖前部３ａを後針床ＢＢの空針に目移しておく。
そして、後針床ＢＢを、前針床ＦＢに係止される前左身頃２１ａから前右身頃２２ａが遠ざかる方向（図３および図４において左方向）へ２ピッチラッキングする。ラッキングの後、前左身頃２１ａを１コース編成し、左袖前部３ａの前身頃側端部の編目を前左身頃２１ａの袖側端部の編目に目移して重ね合わせた後、後針床ＢＢに係止される前衿ぐり４１の編目における前左身頃２１ａ端部の横の空針に１目増し目を形成しながら前左身頃２１ａを１コース編成する。
さらに、後針床ＢＢを、前針床ＦＢに係止される前左身頃２１ａから前右身頃２２ａが遠ざかる方向（図３および図４において左方向）へ２ピッチラッキングする。ラッキングの後、前左身頃２１ａを１コース編成し、左袖前部３ａの前身頃側端部の編目を前左身頃２１ａの袖側端部の編目に目移して重ね合わせた後、後針床ＢＢに係止される前衿ぐり４１の編目における前左身頃２１ａ端部の横の空針に１目増し目を形成しながら前左身頃２１ａを１コース編成する。
このように、後針床ＢＢを増し目の数に比例したピッチ数（１目の増し目に対して２ピッチ）でラッキングするとともに、後針床ＢＢに係止される前衿ぐり４１の前左身頃２１ａ側端部に、ラッキングのピッチ数に対応させた増し目を形成しながら前左身頃２１ａを所定コース編成する動作を所定回数繰り返すことにより、前衿ぐり４１の増し目を行いながら、左袖前部３ａと前左身頃２１ａの接合をしていくことができる。
ステップ１０では、同じ目数で前左身頃２１ａの編成を８コース行うとともに、左袖前部３ａの前左身頃２１ａへの接合が完了する。
このとき、前左身頃２１ａの各編成コースの衿ぐり端部側に後針床ＢＢの空針に増し目が形成されることになり、線Ｆ−Ｙに沿って前衿ぐり４１の周縁の編目が順次不作用状態で形成され、ステップ１０により、前衿ぐり４１の編目が４目（ウェール）が増やされる。
ステップ１０の編成の後、後針床ＢＢに係止されている右袖前部１３ａと前右身頃２２ａと前衿ぐり４１（線Ｙ−Ｆ−Ｇ−ｇ−ｆ）を前針床ＦＢに目移しすることにより、ステップ１１に示す状態となり、線Ｆ−Ｙに沿って前衿ぐり４１が形成されるとともに、左袖前部３ａの前左身頃２１ａへの接合が完了する。
ステップ１２は、前右身頃２２ａのコース編成を示し、前右身頃２２ａの線ｃ−ｆの位置から線ｄ−ｙの位置まで編成する状態を示す。このコース編成の間に衿ぐり４の右側部分がさらに形成される。
ステップ１２においては、まず、前針床ＦＢに係止されている前左身頃２１ａと前衿ぐり４１（線Ｙ−Ｆ−Ｇ−ｇ−ｆ）と右袖前部１３ａを後針床ＢＢの空針に目移ししておく。
そして、後針床ＢＢを、前針床ＦＢに係止される前右身頃２２ａから前左身頃２１ａが遠ざかる方向（図３および図４において右方向）へ２ピッチラッキングする。ラッキングの後、前右身頃２２ａを１コース編成し、右袖前部１３ａの前身頃側端部の編目を前右身頃２２ａの袖側端部の編目に目移して重ね合わせた後、後針床ＢＢに係止される前衿ぐり４１の編目における前右身頃２２ａ端部の横の空針に１目増し目を形成しながら前右身頃２２ａを１コース編成する。
さらに、後針床ＢＢを、前針床ＦＢに係止される前右身頃２２ａから前左身頃２１ａが遠ざかる方向（図３および図４において右方向）へ２ピッチラッキングする。ラッキングの後、前右身頃２２ａを１コース編成し、右袖前部１３ａの前身頃側端部の編目を前右身頃２２ａの袖側端部の編目に目移して重ね合わせた後、後針床ＢＢに係止される前衿ぐり４１の編目における前右身頃２２ａ端部の横の空針に１目増し目を形成しながら前右身頃２２ａを１コース編成する。
このように、後針床ＢＢを増し目の数に比例したピッチ数（１目の増し目に対して２ピッチ）でラッキングするとともに、後針床ＢＢに係止される前衿ぐり４１の前右身頃２２ａ側端部に、ラッキングのピッチ数に対応させた増し目を形成しながら前右身頃２２ａを所定コース編成する動作を所定回数繰り返すことにより、前衿ぐり４１の増し目を行いながら、右袖前部１３ａと前右身頃２２ａの接合をしていくことができる。
ステップ１２では、同じ目数で前右身頃２２ａの編成を８コース行うとともに、右袖前部１３ａの前右身頃２２ａへの接合が完了する。
このとき、前右身頃２２ａの各編成コースの衿ぐり端部側に後針床ＢＢの空針へ増し目が形成されることになり、線ｆ−ｙに沿って前衿ぐり４１の周縁の編目が順次不作用状態で形成され、ステップ１２により、前衿ぐり４１の編目が４目（ウェール）が増やされる。
ステップ１２の編成の後、後針床ＢＢに係止されている前左身頃２１ａと前衿ぐり４１（線Ｙ−Ｆ−Ｇ−ｇ−ｆ−ｙ）を前針床ＦＢに目移しすることにより、ステップ１３に示す状態となり、線ｆ−ｙに沿って前衿ぐり４１が形成されるとともに、右袖前部１３ａの前右身頃２２ａへの接合が完了する。
ステップ１４は、後身頃２ｂを線Ｚ−ｚの位置から線Ｊ−ｊの位置まで、左袖後部３ｂと右袖後部１３ｂとの接合を行いながら編成する状態を示す。
ステップ１４では、後身頃２ｂのみを２コース編成した後、後針床ＢＢに係止される後身頃２ｂと左袖後部３ｂの編目の全てを前針床ＦＢの空針に目移しする。
そして、後針床ＢＢを、左袖後部３ｂ側（図４において右方向）へ２ピッチラッキングした後、前針床ＦＢに係止されている後身頃２ｂの編目の全てを後針床ＢＢに戻す。この動作により、後身頃２ｂの端部の編目と右袖後部１３ｂの端部の編目が重ね合わされて接合が行われる。
次に、後針床ＢＢを、図４において右方向へさらに２ピッチラッキングし、前針床ＦＢに係止されている左袖後部３ｂの身頃側端部の編目を後針床ＢＢに目移しする。この動作により、後身頃２ｂの端部の編目と左袖後部３ｂの端部の編目が重ね合わされて接合が行われる。
そして、前針床ＦＢに左袖後部３ｂの編目を係止させたまま、上記と同様の後身頃２ｂの編成、後針床ＢＢのラッキング動作、後身頃２ｂの編目の目移し、左袖後部３ｂの身頃側端部の編目の後針床ＢＢへの目移しの動作を繰り返す。これら一連の動作を所定回数行うことにより、左袖後部３ｂと後身頃２ｂの接合をしていく。
また、ステップ１４では、続いて、前針床ＦＢの空針に係止されている左袖後部３ｂの編目の全てを後針床ＢＢに戻し、後身頃２ｂのみを２コース編成した後、後針床ＢＢに係止される後身頃２ｂと右袖後部１３ｂの編目の全てを前針床ＦＢの空針に目移しする。
そして、後針床ＢＢを、右袖後部１３ｂ側（図４において左方向）へ２ピッチラッキングした後、前針床ＦＢに係止されている後身頃２ｂの編目の全てを後針床ＢＢに戻す。この動作により、後身頃２ｂの端部の編目と左袖後部３ｂの端部の編目が重ね合わされて接合が行われる。
次に、後針床ＢＢを、図４において左方向へさらに２ピッチラッキングし、前針床ＦＢに係止されている右袖後部１３ｂの身頃側端部の編目を後針床ＢＢに目移しする。この動作により、後身頃２ｂの端部の編目と右袖後部１３ｂの端部の編目が重ね合わされて接合が行われる。
そして、前針床ＦＢに右袖後部１３ｂの編目を係止させたまま、上記と同様の後身頃２ｂの編成、後針床ＢＢのラッキング動作、後身頃２ｂの編目の目移し、右袖後部１３ｂの身頃側端部の編目の後針床ＢＢへの目移しの動作を繰り返す。これら一連の動作を所定回数行うことにより、右袖後部１３ｂと後身頃２ｂの接合が完了する。
そして、後針床ＢＢを右方向にラッキングさせるとともに、後針床ＢＢの右端部の編目を前針床ＦＢに目移しし、かつ，前針床ＦＢの左端部の編目を後針床ＢＢに目移しする動作を繰り返す回し動作を行いながら、ステップ１５に示すように、前針床ＦＢの針に掛けられている前左身頃２１ａの袖ぐり側端部の編目と、後針床ＢＢの針に掛けられている後身頃２ｂの袖ぐり側端部の編目とが対向する状態にする。
ステップ１６〜２５は、身頃の肩下がりを形成するための編成を行いながら、前衿ぐり４１の線ｙ−ｆ−ｇ−Ｇ−Ｆ−Ｙ以降の前衿ぐり４１の編み幅を増やすための編成をして衿ぐり４の形成を終了させるまでを示している。
ステップ１６は、前左身頃２１ａに肩下がり部を形成するために前左身頃２１ａの線Ｄ−Ｙの位置から線Ｄ−Ｅの位置まで引き返し編成する状態を示す。
ステップ１６においては、まず、前針床ＦＢに係止される前右身頃２２ａの編目と前衿ぐり４１（線ｙ−ｆ−ｇ−Ｇ−Ｆ−Ｙ）の編目を後針床ＢＢの空針に移しておく。
そして、後針床ＢＢを、図４において左方向へ２ピッチラッキングする。ラッキングの後、前左身頃２１ａを引き返し編みにより２コース編成しながら、後針床ＢＢに係止される前衿ぐり４１の編目における前左身頃２１ａ端部の横の空針に１目増し目を形成していくと共に、前針床ＦＢに係止される前左身頃２１ａの袖ぐり側端部の編目を外側から順に後針床ＢＢの空針に目移して回し動作を行う。
このように、後針床ＢＢを増し目の数に比例したピッチ数（１目の増し目に対して２ピッチ）でラッキングするとともに、後針床ＢＢに係止される前衿ぐり４１の前左身頃２１ａ側端部に、ラッキングのピッチ数に対応させた増し目を形成しながら前左身頃２１ａを所定コース編成する動作を所定回数繰り返すことにより、前衿ぐり４１の増し目を行いながら、前左身頃２１ａを引き返し編成を行うことにより肩下がり部を形成していくことができる。
ステップ１６では、前左身頃２１ａを袖ぐり側を引き返し編みをして８コースの編成を行いながら、線Ｙ−Ｅに沿って前衿ぐり４１の周縁の編目を順次不作用状態にして前衿ぐり４１の編目がさらに４目（ウェール）増やされる。
ステップ１６の編成を行った後、後針床ＢＢの空針に係止される前右身頃２２ａの編目と前衿ぐり４１（線ｙ−ｆ−ｇ−Ｇ−Ｆ−Ｙ−Ｅ）の編目を前針床ＦＢに移し、後針床ＢＢを右方向にラッキングさせるとともに、後針床ＢＢの右端部の編目を前針床ＦＢに目移しし、かつ，前針床ＦＢの左端部の編目を後針床ＢＢに目移しする動作を繰り返す回し動作を行いながら、ステップ１７に示すように、前針床ＦＢの針に掛けられている前左身頃２１ａの袖ぐり側端部の編目と、後針床ＢＢの針に掛けられている後身頃２ｂの袖ぐり側端部の編目とが対向する状態にする。
ステップ１７により図２に示すように、線Ｙ−Ｅに沿って前衿ぐり４１が形成される。
ステップ１８は、後身頃２ｂを線Ｊ−ｊの位置から線Ｋ−ｋの位置まで、両端を引き返し編成しながら編成する状態を示す。後身頃２ｂを編成する際は、両端の編目をタック処理などを行って順次不作用状態にして引き返し編みを行っていく。
ステップ１８の編成の終了により、前針床ＦＢの針に掛けられている前左身頃２１ａの袖ぐり側端部と、後針床ＢＢの針に掛けられている後身頃２ｂの袖ぐり側端部とが対向しているので、ステップ１９に示すように、前左身頃２１ａを後身頃２ｂに伏せ目処理により接合する。伏せ目処理によって接合された箇所は前後の針床の針から外れる。
そして、前右身頃２２ａの編目の全てを前針床ＦＢに移すために、後針床ＢＢを左方向にラッキングさせながら前針床ＦＢの右端部の編目を後針床ＢＢに目移し、後針床ＢＢの左端部の編目を前針床ＦＢに目移しする動作を繰り返す回し動作を行って、ステップ２０の状態にする。
ステップ２１では、ステップ２０の状態から、前右身頃２２ａに肩下がり部を形成するために、前右身頃２２ａの線ｄ−ｙの位置から線ｄ−ｅの位置まで引き返し編成する状態を示す。
ステップ２１においては、まず、前針床ＦＢに係止される前衿ぐり４１（線ｙ−ｆ−ｇ−Ｇ−Ｆ−Ｙ−Ｅ）の編目の全てを後針床ＢＢの空針に移しておく。
そして、後針床ＢＢを、図４において右方向へ２ピッチラッキングする。ラッキングの後、前右身頃２２ａを引き返し編みにより２コース編成しながら、後針床ＢＢに係止される前衿ぐり４１の編目における前右身頃２２ａ端部の横の空針に増し目を形成していくと共に、、前右身頃２２ａの袖ぐり側端部の編目を外側から順に後針床ＢＢの空針に目移して回し動作を行う。
このように、後針床ＢＢを増し目の数に比例したピッチ数（１目の増し目に対して２ピッチ）でラッキングするとともに、後針床ＢＢに係止される前衿ぐり４１の前右身頃２２ａ側端部に、ラッキングのピッチ数に対応させた増し目を形成しながら前右身頃２２ａを所定コース編成する動作を所定回数繰り返すことにより、前衿ぐり４１の増し目を行いながら、前右身頃２２ａを目減らしして肩下がり部を形成していくことができる。
ステップ２１では、前右身頃２２ａを袖ぐり側を引き返し編みをして８コースの編成を行いながら、線ｙ−ｅに沿って前衿ぐり４１の周縁の編目を順次不作用状態にして前衿ぐり４１の編目がさらに４目（ウェール）増やされる。
ステップ２１の編成を行った後、後針床ＢＢの空針に係止される前衿ぐり４１（線ｅ−ｙ−ｆ−ｇ−Ｇ−Ｆ−Ｙ−Ｅ）の編目を前針床ＦＢに移し、後針床ＢＢを左方向にラッキングさせるとともに、後針床ＢＢの左端部の編目を前針床ＦＢに目移しし、かつ，前針床ＦＢの右端部の編目を後針床ＢＢに目移しする動作を繰り返す回し動作を行いながら、ステップ２２に示すように、前針床ＦＢの針に掛けられている前右身頃２２ａの袖ぐり側端部の編目と、後針床ＢＢの針に掛けられている後身頃２ｂの袖ぐり側端部の編目とが対向する状態にする。
ステップ２２により図２に示すように、線ｙ−ｅに沿って前衿ぐり４１が形成される。
そして、ステップ２３に示すように、前右身頃２２ａを伏せ目処理により後身頃２ｂに接合する。伏せ目処理によって接合された箇所は針から外れて、ステップ２４の衿ぐり４１，４２だけが前後の針床の針に掛けられた状態となる。
さらに、衿ぐり４に衿５を形成するため、前身頃２ａの前衿ぐり４１の中心と後身頃２ｂの後衿ぐり４２の中心が一致するように、後針床ＢＢの右方向のラッキングと移し目を繰り返しながら行う回し動作を行い、ステップ２５の状態にする。
このように、前衿ぐり４１の編み幅が増え、後衿ぐり４２と前衿ぐり４１の編み幅に大きな差が出ても、前身頃２ａの前衿ぐり４１の側端の編目を後針床ＢＢへ送るようにして前後の針床に係止される編地の目数をバランスをとることにより、その境界部の編目同士が離間せず近接した状態を維持することができるので、糸切れが発生するのを防いで筒状体を編成することができる。
そして、ステップ２５の状態にして衿５を編成していき、セーター１の編成を終了する。
上記したように前衿ぐり４１の形成時に、前身頃２ａの前衿ぐり４１のみに増し目を行うことで前衿ぐり４１の編み幅は後衿ぐり４２の編み幅よりも広くなり、前後においてその編み幅に差を生じさせることができる。
しかも、前衿ぐり４１の編み幅が後衿ぐり４２の編み幅より広くなっても、一方の肩の接合を伏せ目処理で行った後に、前後の針床に係止される編地を回して他方の肩の位置合わせてをして伏せ目処理による肩の接合を行うようにしたので、前衿ぐり４１の増し目の数の自由度を広げることができながら、後衿ぐり４２の長さが長くなることもないので、ファッション性に優れたデザインにすることができる。
とくに、本実施形態では、前身頃２ａと後身頃２ｂの肩部分に肩下がり部を形成しているので、肩下がり部の形成により、アームホール２３の長さを一定にしながら、前衿ぐり４１の編み目を所望の数だけ増やすことができる。
しかも、前衿ぐり４１の両側の編目を後針床ＢＢに送ることで、衿５を編成する際に前後の針床の編み幅を揃えられ、支障なく衿部分を筒状に編成することができる。
以上のように、本実施形態によれば、編成されたセーター１は、後衿ぐり４２の長さが長くなることなく、衿ぐり４に前下がりが形成されたファッション性の優れたものとなり、しかも、広い口径の衿ぐりを有するので着用の際に頭を通しやすく着心地の良いものとなる。
さらに、前記した第１実施形態では、ステップ１６〜２５に示すように、身頃に肩下がりを形成するようにしたが、図６に示す第２実施形態の型紙図のように、肩下がり部を編成しないようにしてもよい（図２に示す前身頃２ａのＤ−Ｙ−Ｅおよびｄ−ｙ−ｅの三角部分と、後身頃２ｂのｊ−ｋ−Ｋ−Ｊの台形部分を除いたもの）。
図６に示す第２実施形態については、図２に示す第１実施形態の前身頃２ａのＤ−Ｙ−Ｅおよびｄ−ｙ−ｅの三角部分と、後身頃２ｂのｊ−ｋ−Ｋ−Ｊの台形部分で形成される編成部を除いては、図３から図５に示す編成ステップ図のステップ１５までは、同じ形状および編成を行うので説明を省略する。
第２実施形態の場合は、図３から図５に示す編成ステップ図において、ステップ１５の状態で前左身頃２１ａと後身頃２ｂの肩部分を伏せ目処理により接合した後、前右身頃２２ａの端部と後身頃２ｂの端部が対向するように編地を回し、残りの肩部分を伏せ目処理により接合を行う。
そして、衿ぐり４に衿５を形成するため、前身頃２ａの前衿ぐり４１の中心と後身頃２ｂの後衿ぐり４２の中心が一致するように、後針床ＢＢのラッキングと移し目を繰り返しながら筒状編地の回し動作を行う。
本発明では、前記第１実施形態および第２実施形態で述べたように、前衿ぐり４１の形成の際に、編成を行う前身頃を前針床ＦＢに残し、その他の編目を後針床ＢＢの空針に移しておいて、ラッキングしながら後針床ＢＢに増し目を形成するとともに、前身頃の編成を行うようにしているので、編目の目移しの回数をできるだけ少なくできる。その結果、糸の損傷をできるだけ少なくできながら、前衿ぐり４１の増し目を行う編成を容易にできる。
本実施形態では、衿５は、ラウンドネックとして編成しているが、スタンドカラーなど所望するデザインの衿を編成することができる。また、衿ぐりをＵ字状に形成するＵネックやＶ字状に形成するＶネックなどを形成することもできる。
なお、本発明は、前身頃と後身頃の接合部が肩ラインを超えて後身頃に進入するようなデザインのセットインタイプのセーターにも適用できるし、セーターに限らずカーディガンにも適用できるし、袖の無いセーター、ベストなどにも適用できる。
以上のごとく本発明によれば、前衿ぐりの形成時に、前身頃の前衿ぐりのみに増し目を行うことで前衿ぐりの編み幅は後衿ぐりの編み幅よりも広くなり、前後においてその編み幅に差を生じさせることができる。
さらに、前衿ぐりの形成の際に、編成を行う前身頃を編成用の針床に残し、その他の編目を他方の針床の空針に移しておいて、ラッキングしながら他方の針床に増し目を形成するようにしているので、編目の目移しの回数をできるだけ少なくして糸の損傷を少なくできながら、前衿ぐりの増し目を行う編成を容易にできる。
しかも、前衿ぐりの編み幅が後衿ぐりの編み幅より広くなっても、一方の肩の接合を伏せ目処理で行った後に、前後の針床に係止される編地を回して他方の肩の位置合わせてをして伏せ目処理による肩の接合を行うようにしたので、前衿ぐりの増し目の数の自由度を広げることができながら、後衿ぐりの長さが長くなることもないので、ファッション性に優れたデザインにすることができる。
また、本発明によれば、前身頃と後身頃の肩部分に肩下がり部を形成することができるので、肩下がり部の形成により、アームホールの長さを一定にしながら、前衿ぐりの編み目を所望の数だけ増やすことができる。
【図面の簡単な説明】
図１は本発明にかかるニットウェアの第１実施形態を示す丸首のセットインセーターを示した図である。
図２は第１実施形態のセーターを構成する各パーツを横編機上で編成される状態を示した図である。
図３は第１実施形態のセーターの編成ステップのステップ１〜９を示した図である。
図４は第１実施形態のセーターの編成ステップのステップ１０〜１７を示した図である。
図５は第１実施形態のセーターの編成ステップのステップ１８〜２５を示した図である。
図６は第２実施形態のセーターを構成する各パーツを横編機上で編成される状態を示した図である。
図７は従来の丸首のセットインセーターを示した図である。
図８は従来の丸首のセットインセーターを構成する各パーツを横編機上で編成される状態を示した図である。
【図１】
2003100146.tif 000003
【図２】
2003100146.tif 000004
【図３】
2003100146.tif 000005
【図４】
2003100146.tif 000006
【図５】
2003100146.tif 000007
【図６】
2003100146.tif 000008
【図７】
2003100146.tif 000009
【図８】
2003100146.tif 000010
【国際調査報告】
2003100146.tif 000011
2003100146.tif 000012
2003100146.tif 000013
2003100146.tif 000014